(57)【要約】  可視湿潤度インジケータと一方の性に特化したしるしとを含む、使い捨て着用可能吸収性物品。
2012513841.tif 000002
【特許請求の範囲】
【請求項１】
排泄物の存在を示すときに後続可視状態へと変化するように構成された可視湿潤度表示エリアを含む使い捨て着用可能吸収性物品であって、前記物品は、
男性性を視覚的に表わすように構成された男性用のしるしと、
女性性を視覚的に表わすように構成された女性用のしるしと、
を更に含むことを特徴とする、使い捨て着用可能吸収性物品。
【請求項２】
前記男性用のしるしが、青色、青色のバリエーション、緑色、緑色のバリエーション、マルスシンボル、男性性の人物の画像、文字Ｂ、文字Ｍ、ＢＯＹという言葉、ＭＡＮという言葉、ＭＡＬＥという言葉、及びこれらの組み合わせを含む群から選択される、請求項１に記載の使い捨て着用可能吸収性物品。
【請求項３】
前記女性用のしるしが、ピンク色、ピンク色のバリエーション、紫色、紫色のバリエーション、ビーナスシンボル、女性性の人物の画像、文字Ｇ、文字Ｆ、ＧＩＲＬという言葉、ＷＯＭＡＮという言葉、ＦＥＭＡＬＥという言葉、及びこれらの組み合わせを含む群から選択される、請求項１に記載の使い捨て着用可能吸収性物品。
【請求項４】
前記物品が前側腰部縁部を有し、
前記男性用のしるしが、前記前側腰部縁部から第１の長手方向距離の位置に配置され、
前記女性用のしるしが、前側腰部縁部から第２の長手方向距離の位置に配置され、前記第２の長手方向距離は前記第１の長手方向距離より長くなっている、請求項１に記載の使い捨て着用可能吸収性物品。
【請求項５】
前記可視湿潤度表示エリアが前記物品の前側に配置され、
前記可視湿潤度表示エリアが外側末端部を有し、
前記男性用のしるしが、前記外側末端部から第１の長手方向距離の位置に配置され、
前記女性用のしるしが、前記外側末端部から第２の長手方向距離の位置に配置され、前記第２の長手方向距離は前記第１の長手方向距離よりも長くなっている、請求項１に記載の使い捨て着用可能吸収性物品。
【請求項６】
前記可視湿潤度表示エリアが前記物品の前側に配置され、
前記可視湿潤度表示エリアが内側末端部を有し、
前記男性用のしるしが、前記内側末端部から第１の長手方向距離の位置に配置され、
前記女性用のしるしが、前記内側末端部から第２の長手方向距離の位置に配置され、前記第２の長手方向距離は前記第１の長手方向距離より短くなっている、請求項１に記載の使い捨て着用可能吸収性物品。
【請求項７】
前記可視湿潤度表示エリアが前記物品の後側に配置され、
前記可視湿潤度表示エリアが外側末端部を有し、
前記男性用のしるしが、前記外側末端部から第１の長手方向距離の位置に配置され、
前記女性用のしるしが、前記外側末端部から第２の長手方向距離の位置に配置され、前記第２の長手方向距離は前記第１の長手方向距離より短くなっている、請求項１に記載の使い捨て着用可能吸収性物品。
【請求項８】
前記可視湿潤度表示エリアが前記物品の後側に配置され、
前記可視湿潤度表示エリアが内側末端部を有し、
前記男性用のしるしが、前記内側末端部から第１の長手方向距離の位置に配置され、
前記女性用のしるしが、前記内側末端部から第２の長手方向距離の位置に配置され、前記第２の長手方向距離は前記第１の長手方向距離より長くなっている、請求項１に記載の使い捨て着用可能吸収性物品。
【請求項９】
前記男性用のしるしを含み、男性性を視覚的に表わすように構成された男性用のしるしのグループと、
前記女性用のしるしを含み、女性性を視覚的に表わすように構成された女性用のしるしのグループと、
を含み、
前記可視湿潤度表示エリアが前記物品の前側に配置され、
前記物品が前側腰部縁部を有し、
前記男性用のしるしのグループが、前記前側腰部縁部から第１の長手方向距離の位置に配置された、最も遠い長手方向外側の男性用のしるしを含み、
前記女性用のしるしのグループが、前記前側腰部縁部から第２の長手方向距離の位置に配置された、最も遠い長手方向外側の女性用のしるしを含み、前記第２の長手方向距離は前記第１の長手方向距離より長くなっている、請求項１に記載の使い捨て着用可能吸収性物品。
【請求項１０】
前記男性用のしるしを含み、男性性を視覚的に表わすように構成された男性用のしるしのグループと、
前記女性用のしるしを含み、女性性を視覚的に表わすように構成された女性用のしるしのグループと、
を含み、
前記可視湿潤度表示エリアが前記物品の後側に配置され、
前記物品が前側腰部縁部を有し、
前記男性用のしるしのグループが、前記前側腰部縁部から第１の長手方向距離の位置に配置された、最も近い長手方向内側の男性用のしるしを含み、
前記女性用のしるしのグループが、前記前側腰部縁部から第２の長手方向距離の位置に配置された、最も近い長手方向内側の女性用のしるしを含み、前記第２の長手方向距離は前記第１の長手方向距離より長くなっている、請求項１に記載の使い捨て着用可能吸収性物品。
【発明の詳細な説明】
【技術分野】
【０００１】
概して、本開示の実施形態は、吸収性物品の湿潤度表示に関する。特に、本開示の実施形態は、使い捨て着用可能吸収性物品の可視充満度表示に関する。
【背景技術】
【０００２】
使い捨て着用可能吸収性物品は、尿などの液状排泄物を吸収することができる。使い捨て着用可能吸収性物品は、湿潤度インジケータを含むことができる。湿潤度インジケータは、物品中の液状排泄物の存在を示すことができる。
【発明の概要】
【発明が解決しようとする課題】
【０００３】
残念なことに、着用者の性別がインジケータのシグナルに影響を与える可能性があるので、一部の吸収性物品用湿潤度インジケータは理解しにくい場合がある。湿潤度インジケータからのシグナルが正しく理解されないと、吸収性物品を交換するのが早すぎる場合がある。着用者が物品の収容力を十分に活用しない可能性がある。湿潤度インジケータからのシグナルが正しく理解されない場合には、吸収性物品を交換するのが遅すぎる場合がある。排泄物が物品の収容力を超えて、漏れが生じる可能性がある。
【課題を解決するための手段】
【０００４】
本開示は、理解しやすい湿潤度インジケータを有する吸収性物品を含む。本開示の吸収性物品は、一方の性に特化したしるしを有するので理解しやすい。
【０００５】
一例として、吸収性物品は、男性用のしるし及び女性用のしるしを伴う可視充満度インジケータ（visual fullness indicator）を有することができる。これらのしるしは、着用者の性別を明らかにするために物品内に位置付けられることができる。物品が男性により着用されると、可視充満度インジケータにおける可視状態の変化と男性用のしるしとを相互に関連付けることによって、吸収性物品の充満度を判断することができる。物品が女性により着用されると、可視充満度インジケータにおける可視状態の変化と女性用のしるしとを相互に関連付けることによって、吸収性物品の充満度を判断することができる。男性用のしるし及び女性用のしるしを伴う可視充満度インジケータは、一方の性に特化した湿潤度表示を提供するので容易に理解され得る。
【０００６】
一方の性に特化した湿潤度表示を有する吸収性物品は、吸収性物品の充満度に関する確実性を特定の性別の着用者に対して提供するのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【図面の簡単な説明】
【０００７】
【図１Ａ】本開示の実施形態による、可視湿潤度インジケータと一方の性に特化したしるしとを前側に有するパンツ型使い捨て着用可能吸収性物品。
【図１Ｂ】本開示の実施形態による、可視湿潤度インジケータと一方の性に特化したしるしとを後側に有するパンツ型使い捨て着用可能吸収性物品。
【図１Ｃ】本開示の実施形態による、複数の可視湿潤度インジケータと一方の性に特化したしるしとを有するパンツ型使い捨て着用可能吸収性物品。
【図２Ａ】本開示の実施形態による、可視湿潤度インジケータと一方の性に特化したしるしとを前側に有する前側締結可能な使い捨て着用可能吸収性物品。
【図２Ｂ】本開示の実施形態による、可視湿潤度インジケータと一方の性に特化したしるしとを後側に有する前側締結可能な使い捨て着用可能吸収性物品。
【図２Ｃ】本開示の実施形態による、複数の可視湿潤度インジケータと一方の性に特化したしるしとを有する前側締結可能な使い捨て着用可能吸収性物品。
【図３】可視湿潤度インジケータと、男性性を表すように構成されたしるしと、女性性を表すように構成されたしるしとを有する、吸収性物品の前側の一部分。
【図４】可視湿潤度インジケータと、男性性を表すように構成されたしるしと、女性性を表すように構成されたしるしとを有する、吸収性物品の後側の一部分。
【発明を実施するための形態】
【０００８】
本開示の一方の性に特化したしるしは、あらゆる種類の吸収性物品と共に使用され得る。吸収性物品は、汗、血液、尿、経血等の液状排泄物を吸収することができる。吸収性物品は、製品又は材料であり得る。吸収性物品の例には、衛生保護、衛生用途、及び／又は創部のケアのための製品及び／又は材料が挙げられる。
【０００９】
一部の吸収性物品は使い捨てである。使い捨て吸収性物品は、一度使用した後に部分的又は全体的に廃棄されるように構成される。使い捨て吸収性物品は、汚れた物品又は物品の汚れた部分が復元又は再使用されることを意図していない（例えば、洗濯されることを意図していない）ように構成される。使い捨て吸収性物品の例には、包帯及び包帯剤などの創部のケア製品、並びにパッド及びライナーなどの女性用ケア製品が挙げられる。使い捨て吸収性物品は、本開示の実施形態を使用することができる。
【００１０】
一部の吸収性物品は着用可能である。着用可能な吸収性物品は、着用者の身体上に又は身体の周囲に着用されるように構成される。着用可能な吸収性物品は使い捨てであることもできる。使い捨て着用可能吸収性物品の例としては、使い捨ておむつ及び使い捨て失禁用下着が挙げられる。使い捨て着用可能吸収性物品は、着用者により着用されている間、排泄物を受容し収容することができる。一部の実施形態において、使い捨て着用可能吸収性物品は、トップシートと、吸収性コアと、外側カバーと、腰部開口部と、脚部開口部とを含むことができる。使い捨て着用可能吸収性物品は、本開示の湿潤度インジケータの実施形態を用いることができる。
【００１１】
吸収性物品の湿潤度インジケータの１つの種類は、可視充満度インジケータである。湿潤度インジケータは、液状排泄物の存在をその可視状態によって示すことができる場合に、可視であるとみなされる。本開示全体を通して、特に指定のない限り、液状排泄物の存在とは、可視湿潤度インジケータが可視状態を変化させるのに十分な液状排泄物濃度が存在することを指す。湿潤度インジケータは、液状排泄物が吸収性物品を満たした程度を示すことができる場合に、充満度インジケータと考えられる。可視充満度インジケータは、インジケータが可視状態を漸次変化させるようにインジケータに沿って移動する濡れ縁部（wet edge）によって、液状排泄物の存在を示すことができる。可視充満度インジケータは、１つ以上の可視充満度表示エリアを含むことができる。表示エリアは、画定された連続的な２次元領域であり、その可視状態によって液状排泄物の存在を示すように構成される。例として、様々な実施形態において、インジケータは、一連の表示エリア又は表示エリアのパターンを含むことができる。
【００１２】
本開示の図は、本明細書に記載の要素、それらの部品、及びそれらの関係を例示することを意図しているが、これらの図は、特に指定のない限り、あらゆる特定の相対的又は絶対的サイズ又は寸法を例示することを意図していない。
【００１３】
図１Ａ〜図２Ｃは、それぞれが１つ以上のインジケータと一方の性に特化したしるしとを有する、様々な使い捨て着用可能吸収性物品を示している。明瞭にするために、図１Ａ〜図２Ｃは、インジケータ又は使い捨て着用可能吸収性物品の全詳細を図示していない。図１Ａ〜図２Ｃの各インジケータは、本明細書に記載される本開示のインジケータの任意の実施形態であることができる。更に、図１Ａ〜図２Ｃの一方の性に特化したしるしのそれぞれは、本明細書に記載される本開示の一方の性に特化したしるしの任意の実施形態であることができる。
【００１４】
図１Ａは、着用のために形成されるパンツ型使い捨て着用可能吸収性物品１００Ａの前側１０１及び側部１０３の外側斜視図を示す。パンツ型使い捨て着用可能吸収性物品１００Ａは、腰部開口部１０７と、脚部開口部１０８とを含む。吸収性物品１００Ａは、前側腰部縁部１０２と後側腰部縁部１０４とを含む。吸収性物品１００Ａはまた、前側１０１に配置された長手方向に向けられている可視充満度インジケータ１３１を含む。吸収性物品１００Ａは、男性用のしるしＭと女性用のしるしＦとを更に含む。
【００１５】
本開示全体を通して、パンツ型使い捨て着用可能吸収性物品への言及は、側面で締結可能な実施形態、又は締結具のない実施形態を指すことができる。パンツ型使い捨て着用可能吸収性物品への言及はまた、予備成形された腰部及び／又は脚部開口部を有する物品、あるいは予備成形されていない実施形態を指すことができる。したがって、パンツ型として説明される本開示の吸収性物品の各実施形態は、当業者には理解されるように、これらの様式のいずれかで構成され得る。
【００１６】
図１Ｂは、着用のために形成されるパンツ型使い捨て着用可能吸収性物品１００Ｂの側部１０３及び後側１０５の外側斜視図を示す。パンツ型使い捨て着用可能吸収性物品１００Ｂは、腰部開口部１０７と脚部開口部１０８とを含む。吸収性物品１００Ｂは、前側腰部縁部１０２と後側腰部縁部１０４とを含む。吸収性物品１００Ｂはまた、後側１０５に配置された長手方向に向けられている可視充満度インジケータ１３５を含む。吸収性物品１００Ｂは、男性用のしるしＭと女性用のしるしＦとを更に含む。
【００１７】
図１Ｃは、平面に展開されたパンツ型使い捨て着用可能吸収性物品１００Ｃの外側平面図を示す。使い捨て着用可能吸収性物品１００Ｃは、横方向中心線１１６で分けられる前側１０１及び後側１０５と共に、前側腰部縁部１０２と後側腰部縁部１０４とを含む。
【００１８】
図１Ｃでは、長手方向中心線１１３及び横方向中心線１１６が、使い捨て着用可能吸収性物品１００Ｃの相対位置を参照するための基準線を提供する。長手方向中心線１１３及び横方向中心線１１６は、使い捨て着用可能吸収性物品１００Ｃの中心１１９で交差する。第１の位置が第２の位置よりも長手方向中心線１１３に近接するとき、第１の位置は、第２の位置に対して横方向内側１１２にあると考えることができる。同様に、第２の位置は、第１の位置から横方向外側１１１にあるものと考えることができる。第３の位置が第４の位置よりも横方向中心線１１６に近接するとき、第３の位置は、第４の位置に対して長手方向内側１１５にあると考えることができる。また、第４の位置は、第３の位置から長手方向外側１１４にあるものと考えることができる。
【００１９】
図１Ｃは、それぞれ使い捨て着用可能吸収性物品１００Ｃに関し、横方向外側１１１、横方向内側１１２、長手方向外側１１４、及び長手方向内側１１５の相対方向を示す矢印を含んでいる。本開示全体を通して、長手方向寸法、測定値、線、又は方向への言及は、長手方向中心線１１３に対してほぼ又は完全に平行である寸法、測定値、線、又は方向を指し、横方向寸法、測定値、線、又は方向への言及は、横方向中心線１１６に対してほぼ又は完全に平行である寸法、測定値、線、又は方向を指す。上述のような相対位置を説明するための用語は、使い捨て着用可能吸収性物品に関して本開示全体を通して使用される。この用語は、当業者には理解されるように、種々のその他の吸収性物品にも同様に適用され得る。
【００２０】
使い捨て着用可能吸収性物品１００Ｃは、トップシート１０６と、外側カバー１０９と、獲得層１９１と、分配層１９３と、吸収性コア１９５とを含む。外側カバー１０９の一部分は、トップシート１０６の一部分と吸収性コア１９５の一部分とを図示するために、破られて示されている。吸収性コア１９５の一部分は、分配層１９３の一部分を図示するために、破られて示されている。分配層１９３の一部分は、獲得層１９１の一部分を図示するために、破られて示されている。
【００２１】
使い捨て着用可能吸収性物品１００Ｃは、様々な例示的な位置及び配向にある多数の可視充満度インジケータを含む。使い捨て着用可能吸収性物品１００Ｃは、前側１０１の長手方向中心線１１３に沿った、長手方向に向けられている可視充満度インジケータ１３１を含む。使い捨て着用可能吸収性物品１００Ｃは、後側１０５の長手方向中心線１１３に沿った、長手方向に向けられている可視充満度インジケータ１３５を更に含む。
【００２２】
使い捨て着用可能吸収性物品１００Ｃにおいて、可視充満度インジケータは、中心１１９から実質的に放射状に配向される。しかしながら、当業者には理解されるように、図１Ｃに例示されている位置及び配向に加えて、本開示の可視充満度インジケータは、吸収性物品内の種々の代替位置及び配向に配置されることができる。一例として、可視充満度インジケータは、パンツ型使い捨て着用可能吸収性物品に、横方向の配向で又は物品の中心線に対して角度をなして配置されることができる。
【００２３】
図２Ａは、着用のために形成される前側締結可能な使い捨て着用可能吸収性物品２００Ａの前側２０１及び側部２０３の外側斜視図を示している。前側締結可能な使い捨て着用可能吸収性物品２００Ａは、腰部開口部２０７と脚部開口部２０８とを含む。吸収性物品２００Ａは、前側腰部縁部２０２と後側腰部縁部２０４とを含む。吸収性物品２００Ａはまた、前側２０１に配置された長手方向に向けられている可視充満度インジケータ２３１を含む。吸収性物品２００Ａは、男性用のしるしＭと女性用のしるしＦとを更に含む。
【００２４】
本開示は前側締結可能な吸収性物品を参照しているが、本開示は、本明細書に記載のような一方の性に特化したしるしを有する吸収性物品の代替実施形態も想到し、該吸収性物品は後方締結可能である。したがって、前側締結可能であるとして説明される本開示の吸収性物品の各実施形態は、当業者には理解されるように、後方締結可能に構成されることも可能である。
【００２５】
図２Ｂは、着用のために形成される前側締結可能な使い捨て着用可能吸収性物品２００Ｂの側部２０３及び後側２０５の外側斜視図を示している。前側締結可能な使い捨て着用可能吸収性物品２００Ｂは、腰部開口部２０７と脚部開口部２０８とを含む。吸収性物品２００Ｂは、前側腰部縁部２０２と後側腰部縁部２０４とを含む。吸収性物品２００Ｂはまた、後側２０５に長手方向に向けられている可視充満度インジケータ２３５を含む。吸収性物品２００Ｂは、男性用のしるしＭと女性用のしるしＦとを更に含む。
【００２６】
図２Ｃは、平面に展開された前側締結可能な使い捨て着用可能吸収性物品２００Ｃの外側平面図を示している。使い捨て着用可能吸収性物品２００Ｃは、前側２０１と、前側腰部縁部２０２と、後側腰部縁部２０４と、後側２０５と、長手方向中心線２１３と、横方向中心線２１６とを含む。
【００２７】
使い捨て着用可能吸収性物品２００Ｃは、トップシート２０６と、外側カバー２０９と、獲得層２９１と、分配層２９３と、吸収性コア２９５とを含む。外側カバー２０９の一部分は、トップシート２０６の一部分と吸収性コア２９５の一部分とを図示するために、破られて示されている。吸収性コア２９５の一部分は、分配層２９３の一部分を図示するために、破られて示されている。分配層２９３の一部分は、獲得層２９１の一部分を図示するために、破られて示されている。
【００２８】
使い捨て着用可能吸収性物品２００Ｃは、様々な例示的な位置及び配向にある多数の可視充満度インジケータを含む。使い捨て着用可能吸収性物品２００Ｃは、前側２０１の長手方向中心線２１３に沿った、長手方向に向けられている可視充満度インジケータ２３１を含む。使い捨て着用可能吸収性物品２００Ｃはまた、後側２０５の長手方向中心線２１３に沿った、長手方向に向けられている可視充満度インジケータ２３５を含む。
【００２９】
使い捨て着用可能吸収性物品２００Ｃにおいて、可視充満度インジケータは、中心２１９から実質的に放射状に配向される。しかしながら、当業者には理解されるように、図２Ｃに例示されている位置及び配向に加えて、本開示の可視充満度インジケータは、吸収性物品内の種々の代替位置及び配向に配置されることができる。一例として、可視充満度インジケータは、パンツ型使い捨て着用可能吸収性物品に、横方向の配向で又は物品の中心線に対して角度をなして配置されることができる。
【００３０】
図３は、平面に展開された吸収性物品３００の前側３０１の一部分の外側平面図を示している。種々の実施形態において、吸収性物品３００は、パンツ型使い捨て着用可能吸収性物品又は前側締結可能な使い捨て着用可能吸収性物品などの使い捨て着用可能吸収性物品であることができる。図３では、この一部分は吸収性物品３００の他の部分から切り離して図示されているので、前側３０１のこの一部分は、吸収性物品３００の前側腰部縁部３０２によって、及び折れ線によって囲まれている。参照用に、図３は、吸収性物品３００の長手方向外側３１４及び長手方向内側３１５の相対方向を示す矢印を図示している。
【００３１】
吸収性物品３００の前側３０１の一部分は、湿潤度インジケータ３３１を含む。湿潤度インジケータ３３１は可視充満度インジケータである。しかしながら、種々の実施形態において、湿潤度インジケータ３３１は、当業者には理解されるように、別の形態の可視湿潤度インジケータとして構成されることができる。
【００３２】
可視充満度インジケータ３３１は、吸収性物品３００の中心からオフセットされて配置される。種々の実施形態において、可視充満度インジケータの１つ以上の部分は、吸収性物品の中心近くに、中心に、又は中心と重なって配置され得る。例えば、単一の表示エリアは、吸収性物品の前側から、吸収性物品の中心を通って、吸収性物品の後側まで延在することができる。このような実施形態では、表示エリアに沿った最も遠い内側点は、２つのインジケータの内側末端部と考えることができる。
【００３３】
可視充満度インジケータ３３１は、１つの可視充満度表示エリアを含む。可視充満度インジケータ３３１は、長手方向内側末端部３３２と長手方向外側末端部３３３とを含む。可視充満度インジケータ３３１は、可視充満度インジケータ３３１に沿って内側末端部３３２から外側末端部３３３まで測定される全インジケータ長を有する。可視充満度インジケータ３３１は、実質的に細長い全体的形状を有し、かつ全インジケータ長全体に沿って実質的に均一な幅を有する。
【００３４】
一部の実施形態において、可視充満度インジケータは、程度の差はあるが細長い全体的形状を有することができる。種々の実施形態において、可視充満度インジケータの一部分、若しくは複数の部分、又は全ては、直線状、曲線状、角度付き、セグメント化された、又は任意の規則的若しくは不規則的な幾何学的形状（例えば正方形、矩形、三角形、台形、八角形、六角形、星形、半円、四半円、半楕円形、四半楕円形、放射パターンなど）、認識可能な画像（例えば、文字、数字、単語、キャラクター、動物の顔、人の顔など）、又は別の認識可能な画像（例えば植物、自動車など）、別の形状、あるいはこれらの形状のいずれかの組み合わせであり得る。一部の実施形態において、可視充満度インジケータは、その長さの一部分、若しくは複数の部分、又は全てにわたって異なる長さを有することができる。更に、可視充満度表示エリアは、これらの様式のいずれかで構成されることもできる。
【００３５】
可視充満度インジケータは、１つ以上の可視インジケータ及び／又は可視表示エリアの、視覚的に区別可能かつ認識可能な経路である。経路は、その可視状況において認識可能である。換言すれば、経路は、周辺エリアの見た目と比べたとき、はっきりと区別できかつ認識可能である。
【００３６】
可視充満度インジケータの経路は、２つの画定された末端部と、これら２つの末端部の間の中間部と、その一方の末端部から他方の末端部までの画定された長さとを有する。可視充満度インジケータは、１つ以上の幅を有することができ、この幅のそれぞれは規定長未満である。
【００３７】
可視充満度インジケータは、様々な形態に構成され得る。例えば、可視充満度インジケータは、経路に沿って配置された単一の連続的表示エリアによって形成されることができる。別の例として、可視充満度インジケータは、経路に沿って配置された複数の別個のインジケータ及び／又は別個の表示エリアによって形成されることができる。
【００３８】
可視充満度インジケータ３３１は、全インジケータ長全体に沿って吸収性物品３００の吸収性コアと流体連通している。種々の実施形態において、可視インジケータは、インジケータの一部分、若しくは複数の部分、又はほぼ全て、又は全てが、吸収性コアと流体連通しているように構成され得る。一部の実施形態では、可視インジケータは、インジケータの一部分、若しくは複数の部分、又はほぼ全て、又は全てが、吸収性コアと重なり合うように、あるいはインジケータの一部分、若しくは複数の部分、又はほぼ全て、又は全てが、吸収性コアと重なり合わないように構成され得る。
【００３９】
本開示全体を通して、流体連通は、液状物質がある要素又は位置から別の要素又は位置まで自由に通過できるようにする、構成された構造的関係を指すが、液体が通過する可能性があり得る共通要素に連結又は接合されるだけでは、ある要素又は位置が別の要素又は位置と流体連通しているとは必ずしもみなされない。この流体連通の定義は、以下の例によって更に説明される。
【００４０】
例えば、液状物質が、ある要素から接触部分を通って別の要素まで自由に通過することができるように、ある要素が別の要素と直接的な物理接触をするように構成される場合は、これらの要素は流体連通しているとみなされることができる。別の例として、液状物質が、ある要素から流体連通のための手段を通って別の要素まで自由に通過することができるように、ある要素が、流体連通のための手段によって別の要素に連結される場合、これらの要素は流体連通しているとみなされることができる。
【００４１】
更なる例として、ある要素が基材に連結され、別の要素が同じ基材に接続されるが、この基材が液状物質を自由に通過させない場合は、これらの要素は流体連通していないとみなされることができる。このことは、液体が自由に通過できない限り、液体が基材を通過する可能性があり得る場合にも当てはまる。これらの例を通して説明された液体連通の上記定義は、当業者には理解されよう。
【００４２】
本開示全体を通して、用語液状排泄物は、液状で出る任意の身体内物質（例えば尿）及び／又は任意の液体様身体内物質（例えば粘性が低い糞便）を指す。
【００４３】
種々の実施形態において、可視充満度表示エリアの一部分、若しくは複数の部分、又は全ては、１つ以上の初期可視状態から１つ以上の後続可視状態へと変化するように構成され得る。また、本開示の実施形態では、可視充満度表示エリアの特定部分に関し、後続可視状態が第１の初期可視状態と視覚的に区別可能である限り、初期可視状態及び後続可視状態は、それぞれ任意の可視状態であることができる。
【００４４】
本開示全体を通して、用語可視状態は、標準的な照明条件において正常視力を有する裸眼のヒトが知覚することができる外観を指す。可視状態は、１つ以上の色、色の変化、模様、文字、数字、記号、デザイン、画像、及び／又はその他の視覚デバイスを含むことができる。色は、例えば赤、オレンジ、黄色、緑、青、紫等などの周知の色を含む。色の変化は、とりわけ、彩度、色相、及び輝度の変化を含む。参照しやすいようにこれら非公式な用語を使用するが、本開示の実施形態は、標準的な照明条件において正常視力を有する裸眼のヒトが知覚することができる全ての色を包含することを意図している。
【００４５】
本開示全体を通して、可視状態は、標準的な照明条件において正常視力を有する裸眼のヒトが見てすぐに異なっていると認識することができる場合に、視覚的に区別可能であると考えられる。一例として、標準的な照明条件において正常視力を有する裸眼のヒトは、青と黄色が異なる色であることを見てすぐに認識できなくてはならない。したがって、青及び黄色は、視覚的に区別可能な可視状態であると考えられる。別の例として、標準的な照明条件において正常視力を有する裸眼のヒトは、明るい色合いのオレンジと暗い色合いのオレンジが異なる色合いの色であることを見てすぐに認識可能であり得る。したがって、明るい色合いのオレンジ及び暗い色合いのオレンジは、視覚的に区別可能な可視状態であると考えられる。更なる例として、標準的な照明条件において正常視力を有する裸眼のヒトは、第１の模様と第２の模様が異なる可視状態であることを見てすぐに認識可能であり得る。したがって、第１の模様及び第２の模様は、視覚的に区別可能な可視状態であると考えられる。
【００４６】
なお更なる例として、標準的な照明条件において正常視力を有する裸眼のヒトは、文字を有する領域と空白領域が異なる可視状態であることを見てすぐに認識できるべきである。したがって、文字を有する領域及び空白領域は、視覚的に区別可能な可視状態であると考えられる。同様に、数字、記号、デザイン、画像、及び／又はその他の視覚デバイスを有する領域も、空白領域と、又は均一に色の付いた領域と、視覚的に区別可能であると考えられる。当業者には理解されるように、これらの例に加えて、これら以外の多くの可能な視覚的に区別可能な可視状態が存在する。
【００４７】
当業者には理解されるように、排泄物の存在を示すときに可視状態を変化させる表示エリアを含むように本開示の吸収性物品を構成することができる、いくつかの方法が存在する。例えば、吸収性物品は、次の米国特許に記載されるような可視充満度インジケータを含むように構成され得る：米国特許第４，０２２，２１１号、名称「Ｗｅｔｎｅｓｓ  ｉｎｄｉｃａｔｏｒ  ｆｏｒ  ａｂｓｏｒｂｅｎｔ  ｐａｄｓ」、１９７７年５月１０日にＴｉｍｍｏｎｓらに付与；米国特許第４，２３１，３７０号、名称「Ｄｉｓｐｏｓａｂｌｅ  ｄｉａｐｅｒ  ｔｙｐｅ  ｇａｒｍｅｎｔ  ｈａｖｉｎｇ  ｗｅｔｎｅｓｓ  ｉｎｄｉｃａｔｏｒ」、１９８０年１１月４日にＭｒｏｚらに付与；米国特許第４，３２７，７３１号、名称「Ｍｏｉｓｔｕｒｅ  ｉｎｄｉｃａｔｏｒ」、１９８２年５月４日にＰｏｗｅｌｌに付与；米国特許第４，６８１，５７６号、名称「Ｗｅｔｎｅｓｓ  ｉｎｄｉｃａｔｉｎｇ  ｈｏｔ−ｍｅｌｔ  ａｄｈｅｓｉｖｅ」、１９８７年７月２１日にＣｏｌｏｎらに付与；米国特許第４，７０５，５１３号、名称「Ｄｉｓｐｏｓａｂｌｅ  ｄｉａｐｅｒ  ｗｉｔｈ  ｗｅｔｎｅｓｓ  ｉｎｄｉｃａｔｏｒ」、１９８７年１１月１０日にＳｈｅｌｄｏｎらに付与；米国特許第４，７３８，６７４号、名称「Ｍｏｉｓｔｕｒｅ  ｉｎｄｉｃａｔｏｒ  ａｐｐａｒａｔｕｓ  ａｎｄ  ｍｅｔｈｏｄ」、１９８８年４月１９日にＴｏｄｄらに付与；米国特許第４，７４３，２３８号、名称「Ｗｅｔｎｅｓｓ  ｉｎｄｉｃａｔｉｎｇ  ｈｏｔ−ｍｅｌｔ  ａｄｈｅｓｉｖｅ」、１９８８年５月１０日にＣｏｌｏｎらに付与；米国特許第４，８９５，５６７号、名称「Ｗｅｔｎｅｓｓ  ｉｎｄｉｃａｔｉｎｇ  ｈｏｔ−ｍｅｌｔ  ａｄｈｅｓｉｖｅ」、１９９０年１月２３日にＣｏｌｏｎらに付与；米国特許第４，９３１，０５１号、名称「Ｗｅｔｎｅｓｓ  ｉｎｄｉｃａｔｏｒ」、１９９０年６月５日にＣａｓｔｅｌｌｏに付与；米国特許第５，０３５，６９１号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９１年７月３０日にＺｉｍｍｅｌらに付与；米国特許第５，０６６，７１１号、名称「Ｗｅｔｎｅｓｓ  ｉｎｄｉｃａｔｉｎｇ  ｈｏｔ−ｍｅｌｔ  ａｄｈｅｓｉｖｅ」、１９９１年１１月１９日にＣｏｌｏｎらに付与；米国特許第５，０８９，５４８号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９２年２月１８日にＺｉｍｍｅｌらに付与；米国特許第５，１６７，６５２号、名称「Ｍｏｉｓｔｕｒｅ  ｓｅｎｓｉｔｉｖｅ  ｆｉｌｍ」、１９９２年１２月１日にＭｕｅｌｌｅｒに付与；米国特許第５，３４２，８６１号、名称「Ｈｏｔ  ｍｅｌｔ  ｗｅｔｎｅｓｓ  ｉｎｄｉｃａｔｏｒ」、１９９４年８月３０日にＲａｙｋｏｖｉｔｚに付与；米国特許第５，３５４，２８９号、名称「Ａｂｓｏｒｂｅｎｔ  ｐｒｏｄｕｃｔ  ｉｎｃｌｕｄｉｎｇ  ｓｕｐｅｒ  ａｂｓｏｒｂｅｎｔ  ｍａｔｅｒｉａｌ  ａｎｄ  ｆｌｕｉｄ  ａｂｓｏｒｐｔｉｏｎ  ｃａｐａｃｉｔｙ  ｍｏｎｉｔｏｒ」、１９９４年１０月１１日にＭｉｔｃｈｅｌｌらに付与；米国���許第Ｈ１，３７６号、名称「Ｃａｐａｃｉｔｙ  ｉｎｄｉｃｉａ  ｆｏｒ  ａｂｓｏｒｂｅｎｔ  ａｒｔｉｃｌｅｓ」、１９９４年１１月１日にＯｓｂｏｒｎｅらに付与；米国特許第５，６４７，８６３号、名称「Ａｂｓｏｒｂｅｎｔ  ａｒｔｉｃｌｅ  ｗｉｔｈ  ｃｌｅａｎ  ａｐｐｅａｒａｎｃｅ  ａｎｄ  ｃａｐａｃｉｔｙ  ｓｉｇｎａｌ  ｍｅａｎｓ」、１９９７年７月１５日にＨａｍｍｏｎｓらに付与；米国特許第５，６９０，６２４号、名称「Ｄｉｓｐｏｓａｂｌｅ  ｄｉａｐｅｒ」、１９９７年１１月２５日にＳａｓａｋｉらに付与；米国特許第５．７６６，２１２号、名称「Ｄｉｓｐｏｓａｂｌｅ  ｄｉａｐｅｒ」、１９９８年６月１６日にＪｉｔｏｅらに付与；米国特許第６，０７５，１７８号、名称「Ａｂｓｏｒｂｅｎｔ  ａｒｔｉｃｌｅ  ｗｉｔｈ  ｗｅｔｎｅｓｓ  ｉｎｄｉｃａｔｏｒ」、２０００年６月１３日に付与；米国特許第６，５１５，１９４号、名称「Ｄｉａｐｅｒ  ｈａｖｉｎｇ  ｃｅｎｔｒａｌｌｙ−ｌｏｃａｔｅｄ  ｃｈｒｏｍａｔｏｇｒａｐｈｉｃ  ｌａｙｅｒ  ｗｉｔｈ  ｐｅｒｉｐｈｅｒａｌｌｙ−ｌｏｃａｔｅｄ  ｗｅｔｎｅｓｓ  ｉｎｄｉｃａｔｏｒ」、２００３年２月４日にＮｅａｄｉｎｇらに付与；米国特許第６，５９６，９１８号、名称「Ａｂｓｏｒｂｅｎｔ  ａｒｔｉｃｌｅｓ  ｈａｖｉｎｇ  ｗｅｔｎｅｓｓ  ｉｎｄｉｃａｔｉｎｇ  ｇｒａｐｈｉｃｓ  ａｎｄ  ｅｍｐｌｏｙｉｎｇ  ｍａｓｋｉｎｇ  ｔｅｃｈｎｉｑｕｅｓ」、２００３年７月２２日にＷｅｈｒｌｅらに付与；米国特許第６，６５３，５２２号、名称「Ｈｏｔ  ｍｅｌｔ  ａｄｈｅｓｉｖｅｓ  ｂａｓｅｄ  ｏｎ  ｓｕｌｆｏｎａｔｅｄ  ｐｏｌｙｅｓｔｅｒｓ  ｃｏｍｐｒｉｓｉｎｇ  ｗｅｔｎｅｓｓ  ｉｎｄｉｃａｔｏｒ」、２００３年１１月２５日にＢｌｕｍｅｎｔｈａｌらに付与；米国特許第６，７７２，７０８号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ」、１９９４年８月１０日にＫｌｏｆｔａらに付与；米国特許第６，９０４，８６５号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００５年６月１４日にＫｌｏｆｔａらに付与；米国特許第７，１５９，５３２号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００７年１月９日にＫｌｏｆｔａらに付与；米国特許第７，１７２，６６７号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月６日にＶｅｒｇｏｎａに付与；米国特許第７，１７８，５７１号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月２０日にＶｅｒｇｏｎａに付与；米国特許第７，３０６，７６４号、名称「Ｗｅｔｎｅｓｓ  ｉｎｄｉｃａｔｏｒ」、２００７年１２月１１日にＭｏｄｙに付与；及び米国特許第７，３３２，６４２号、名称「Ｄｉｓｐｏｓａｂｌｅ  ａｂｓｏｒｂｅｎｔ  ａｒｔｉｃｌｅｓ  ｈａｖｉｎｇ  ｐｒｉｎｔｅｄ  ｗｅｔｎｅｓｓ  ｉｎｄｉｃａｔｏｒｓ」、２００８年２月１９日にＬｉｕに付与（当該特許はそれぞれ参照により本明細書に組み込まれる）。
【００４８】
図３の実施形態では、可視充満度インジケータ３３１は、液状排泄物の存在を表すときに、１つ以上の初期可視状態から１つ以上の後続可視状態へと変化するように構成される。
【００４９】
吸収性物品は、吸収性物品が着用者により着用されると、可視表示エリアの一部分、若しくは複数の部分、又は全てが吸収性物品の外側から見えるように構成され得る。例えば、可視充満度表示エリアは、吸収性物品の外側カバーの外側を見たときに見ることができる。その結果、可視表示エリアの後続可視状態の少なくとも一部は、吸収性物品の外側から見える。
【００５０】
吸収性物品３００は、吸収性物品３００が着用者により着用されると、可視充満度インジケータ３３１の一部分、若しくは複数の部分、又は全てが、吸収性物品３００の外側から見えるように構成され得る。その結果、後続可視状態の少なくとも一部は、吸収性物品３００の外側から見える。
【００５１】
可視充満度インジケータ３３１は、可視充満度インジケータ３３１がその長さに沿って初期可視状態から後続可視状態へと漸次変化するように、可視充満度インジケータ３３１に沿って内側末端部３３２から外側末端部３３３へと継続的に移動する濡れ縁部によって、液状排泄物の存在を表すことができる。可視充満度インジケータ上の後続可視状態の部分的又は完全な有無は、吸収性物品の充満度を表すことができる。例えば、可視充満度インジケータの内側部分に後続可視状態が存在することで、吸収性物品がやや充満されたことを表すことができ、可視充満度インジケータの長手方向中間部分に後続可視状態が存在することで、吸収性物品が充満に近づいていることを表すことができ、可視充満度インジケータの外側部分に後続可視状態が存在することで、吸収性物品が充満していることを表すことができる。
【００５２】
一方の性に特化したしるしは、吸収性物品３００の充満度に関する確実性を、特定の性別の着用者に提供するのを助けることができる。吸収性物品３００の前側３０１の一部分はまた、一方の性に特化したしるしＭ１、Ｍ２、Ｍ３、Ｆ１、Ｆ２、及びＦ３を含む。しるしＭ１、Ｍ２、及びＭ３のそれぞれは、男性性を視覚的に表わすように構成された男性用のしるしである。しるしＦ１、Ｆ２、及びＦ３のそれぞれは、女性性を視覚的に表わすように構成された女性用のしるしである。
【００５３】
しるしは、性別に関連付けられる１つ以上の色、色のバリエーション、模様、文字、数字、記号、デザイン、画像、及び／又はその他の視覚的デバイスを含むことによって、特定の性別を視覚的に表わすように構成され得る。例として、男性用のしるしは、青色、青色のバリエーション、緑色、緑色のバリエーション、マルスシンボル（即ち、突き出た矢を有する円（ローマの神マルスの盾と槍を表す）、例えば♂であるユニコード入力Ｕ＋２６４２）、男性性の人物の画像、文字Ｂ、文字Ｍ、ＢＯＹという言葉、ＭＡＬＥという言葉、ＭＡＮという言葉、男性性に関連する任意のその他の言葉（英語又は別の言語）、若しくは同様の視覚的デバイス、又はこれらのいずれかの組み合わせを含むことができる。同様に例として、女性用のしるしは、ピンク色、ピンク色のバリエーション、紫色、紫色のバリエーション、ビーナスシンボル（即ち、下部に十字形を有する円（ローマの神ビーナスの手鏡とくしを表す）、例えば♀であるユニコード入力Ｕ＋２６４０）、女性性の人物の画像、文字Ｇ、文字Ｆ、文字Ｗ、ＧＩＲＬという言葉、ＦＥＭＡＬＥという言葉、ＷＯＭＡＮという言葉、女性性に関連する任意のその他の言葉（英語又は別の言語）、若しくは同様の視覚的デバイス、又はこれらのいずれかの組み合わせを含むことができる。更に、恣意的に見える色、模様、文字、数字、記号、デザイン、画像、又は他の視覚的デバイスを特定の性別と意図的に関連付けて、男性又は女性用のしるしとして使用してもよい。
【００５４】
吸収性物品３００の前側３０１の一部分は、３つの男性用のしるし（Ｍ１、Ｍ２、及びＭ３）と、３つの女性用のしるし（Ｆ１、Ｆ２、及びＦ３）とを有しているが、吸収性物品は、一方の性に特化した様々な数のしるしを有することができる。例えば、吸収性物品は、１つ又は２つ又は３つ又はそれ以上の男性用のしるし及び／あるいは１つ又は２つ又は３つ又はそれ以上の女性用のしるしを含むように構成され得る。代替実施形態では、吸収性物品は、１つの特定の性別のみに関する一方の性に特化した１つ以上のしるしを含むように構成され得る。
【００５５】
一方の性に特化したしるしは、特定の性別の着用者のために、可視充満度インジケータ３３１の後続可視状態の漸次的存在と、吸収性物品３００の様々な程度の充満度とを相互に関連付けるように構成される。男性用のしるしＭ１、Ｍ２、及びＭ３は、男性性の着用者から受容した液状排泄物に関する吸収性物品３００の様々な程度の充満度と相関するように構成される。しるしＭ１は、吸収性物品３００の第１の程度の充満度と相関するように構成される。しるしＭ２は、しるしＭ１より長手方向外側に配置されているので、しるしＭ２は、第１の程度の充満度より大きい第２の程度の充満度と相関するように構成される。しるしＭ３は、しるしＭ２より長手方向外側に配置されているので、しるしＭ３は、第２の程度の充満度より大きい第３の程度の充満度と相関するように構成される。
【００５６】
同様に、女性用のしるしＦ１、Ｆ２、及びＦ３も、女性性の着用者から受容した液状排泄物に関して、可視充満度インジケータ３３１の後続可視状態の漸次的存在と、吸収性物品３００の様々な程度の充満度とを相互に関連付けるように構成される。したがって、女性用のしるしＦ１は、第１の程度の充満度と相関するように構成される。女性用のしるしＦ２は女性用のしるしＦ１より長手方向外側にあり、女性用のしるしＦ２は、第２の、より大きい程度の充満度と相関するように構成される。女性用のしるしＦ３は女性用のしるしＦ２より長手方向外側にあり、女性用のしるしＦ３は、吸収性物品３００の第３の、より大きい程度の充満度と相関するように構成される。
【００５７】
図３の実施形態では、各男性用のしるしは、吸収性物品３００の同じ程度の充満度と相関している対応する女性用のしるしを有する。男性用のしるしＭ１及び女性用のしるしＦ１はそれぞれ、同じ第１の程度の充満度と相関する。また、男性用のしるしＭ２及び女性用のしるしＦ２はそれぞれ、同じ第２の程度の充満度と相関する。更に、男性用のしるしＭ３及び女性用のしるしＦ３はそれぞれ、同じ第３の程度の充満度と相関する。しかしながら、この対応は必要ではなく、一部の実施形態では、存在しなくてもよい。
【００５８】
図３の実施形態では、男性用のしるしＭ１、Ｍ２、及びＭ３、並びに女性用のしるしＦ１、Ｆ２、及びＦ３は、可視充満度インジケータ３３１に近接して配置されている。しかしながら、種々の実施形態において、一方の性に特化したしるしは可視充満度インジケータから離れて配置されることができるが、しるしと可視充満度インジケーに沿った位置とを関連付けるために、接続線などの視覚的手段を用いることができる。図３の実施形態では、男性用のしるしＭ１、Ｍ２、及びＭ３は、可視充満度インジケータ３３１の一方の長手方向側に沿って配置され、女性用のしるしＦ１、Ｆ２、及びＦ３は、可視充満度インジケータ３３１の他方の長手方向側に沿って配置されている。しかしながら、一部の実施形態において、男性及び女性用のしるしは共に、可視充満度インジケータの同じ側に配置されることができる。
【００５９】
図３の実施形態では、男性用のしるしＭ１、Ｍ２、及びＭ３は互いに規則的に離間しており、女性用のしるしＦ１、Ｆ２、及びＦ３もまた互いに規則的に離間している。しかしながら、種々の実施形態において、一方の性に特化したしるしは、不規則な間隔で互いに離間することができる。図３の実施形態では、男性用のしるしＭ１、Ｍ２、及びＭ３は第１の総長手方向距離を占め、女性用のしるしＦ１、Ｆ２、及びＦ３は、第１の総長手方向距離と同じである第２の総長手方向距離を占める。しかしながら、一部の実施形態において、男性用のしるし及び女性用のしるしは、異なる総長手方向距離を占めてもよい。
【００６０】
一方の性に特化したしるしは、着用者の性別を明らかにするために吸収性物品３００内に位置付けられることができる。具体的には、男性用のしるしＭ１、Ｍ２、及びＭ３は、男性人体の股の前側の方に位置付けられる男性のピーポイント（pee point）の位置を明らかにするために、吸収性物品３００内に配置されることができる。その結果、男性着用者が使い捨て着用可能吸収性物品に排尿するとき、尿は最初、物品の前側部分内に受容されることになる。男性の尿のこの前側負荷を明らかにするために、湿潤度インジケータを有する吸収性物品は、女性用のしるしと比べて物品の前側に比較的近い位置に配置される男性用のしるしを含むことができる。
【００６１】
同様に、女性用のしるしＦ１、Ｆ２、及びＦ３は、女性人体の股の中央の方に位置付けられる女性のピーポイントの位置を明らかにするために、吸収性物品３００内に配置されることができる。その結果、女性着用者が使い捨て着用可能吸収性物品に排尿するとき、尿は最初、物品の長手方向中央部分内に受容されることになる。女性の尿のこの中央負荷を明らかにするために、湿潤度インジケータを有する吸収性物品は、男性用のしるしと比べて物品の前側から比較的遠い位置に配置される女性用のしるしを含むことができる。本開示は、一部の幼児では、男性のピーポイントと女性のピーポイントとの違いが、使い捨て着用可能吸収性物品の長手方向に測定して約２センチメートルの尿負荷の差をもたらすことを想到する。
【００６２】
男性用のしるし及び女性用のしるしに関するこの相対的配置の違いは、多くの異なる様式で理解することができる。グループとしての男性用のしるしは、前縁部３０２から長手方向距離３４５の位置に配置される。グループとしての女性用のしるしは、前縁部３０２から長手方向距離３５５の位置に配置される。長手方向距離３５５は長手方向距離３４５よりも長い。即ち、グループとしての男性用のしるしは、グループとしての女性用のしるしよりも前縁部３０２に近い。吸収性物品３００の前側３０１において、このことは、グループとしての男性用のしるしを、グループとしての女性用のしるしよりも更に長手方向外側に置く。同様に、グループとしての男性用のしるしは、グループとしての女性用のしるしよりも、吸収性物品３００の後縁部から遠くに配置される。吸収性物品３００の前側３０１において、グループとしての男性用のしるしは、グループとしての女性用のしるしよりも可視充満度インジケータ３３１の外側末端部３３３の近くに配置される。同様に、吸収性物品３００の前側３０１において、グループとしての男性用のしるしは、グループとしての女性用のしるしよりも、可視充満度インジケータ３３１の内側末端部３３２から遠くに配置される。グループとしての男性用のしるし及びグループとしての女性用のしるしに関するこれらの相対的配置のいずれかを、本開示の実施形態の全てに適用することができる。
【００６３】
最も遠い外側の男性用のしるしＭ３は、前縁部３０２から長手方向距離３４３の位置に配置される。最も遠い外側の女性用のしるしＦ３は、前縁部３０２から長手方向距離３５３の位置に配置される。長手方向距離３５３は長手方向距離３４３よりも長い。即ち、最も遠い外側の男性用のしるしＭ３は、最も遠い外側の女性用のしるしＦ３よりも前縁部３０２に近い。吸収性物品３００の前側３０１において、このことは、最も遠い外側の男性用のしるしＭ３を、最も遠い外側の女性用のしるしＦ３よりも更に長手方向外側に置く。同様に、最も遠い外側の男性用のしるしＭ３は、最も遠い外側の女性用のしるしＦ３よりも、吸収性物品３００の後縁部から遠くに配置される。吸収性物品３００の前側３０１において、最も遠い外側の男性用のしるしＭ３は、最も遠い外側の女性用のしるしＦ３よりも可視充満度インジケータ３３１の外側末端部３３３の近くに配置される。同様に、吸収性物品３００の前側３０１において、最も遠い外側の男性用のしるしＭ３は、最も遠い外側の女性用のしるしＦ３よりも、可視充満度インジケータ３３１の内側末端部３３２から遠くに配置される。最も遠い外側の男性用のしるし及び最も遠い外側の女性用のしるしに関するこれらの相対的配置のいずれかを、本開示の実施形態の全てに適用することができる。
【００６４】
Ｍ３及びＦ３に関する相対的配置は、Ｍ２及びＦ２、並びにＭ１及びＦ１に関しても同様に考えられ得る。男性用のしるしＭ２は、女性用のしるしＦ２よりも、前縁部３０２及び外側末端部３３３に近い。男性用のしるしＭ２はまた、女性用のしるしＦ２よりも、後縁部及び内側末端部３３２から遠い。男性用のしるしＭ１は、女性用のしるしＦ１よりも、前縁部３０２及び外側末端部３３３に近い。男性用のしるしＭ１はまた、女性用のしるしＦ１よりも、後縁部及び内側末端部３３２から遠い。男性用のしるし、及び対応する女性用のしるしに関するこれらの相対的配置のいずれかを、本開示の実施形態の全てに適用することができる。
【００６５】
図３の実施形態では、男性用のしるしＭ１、Ｍ２、及びＭ３、並びに女性用のしるしＦ１、Ｆ２、及びＦ３は、男性人体と女性人体との違いを明らかにするために、上記のように吸収性物品３００内で相対的に配置されている。男性用のしるし及び女性用のしるしを伴う可視充満度インジケータ３３１は、一方の性に特化した湿潤度表示を提供するので容易に理解され得る。
【００６６】
一方の性に特化した湿潤度表示を有する吸収性物品は、吸収性物品の充満度に関する確実性を特定の性別の着用者に対して提供するのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【００６７】
当業者は、インジケータ及びしるしが、特定の吸収性物品の充満度の程度、残存収容力、及び／又は漏れリスクを表す可視状態変化シグナルを提供するように、本開示の可視充満度インジケータ及びしるしの適切な特定位置及び向き、並びに具体的な寸法及びその他の物理的特性を選択することができる。種々の実施形態において、吸収性物品は、可視状態の変化シグナルを、充満度、収容力、及び／又は漏れリスクと相関させるしるしを含むこともできる。更に、一部の実施形態では、吸収性物品の使用説明書は、可視状態変化シグナル、しるしと、充満度、収容力、及び／又は漏れリスクとの間の相関関係を説明することができる。例えば、そのような使用説明書は、吸収性物品のパッケージ上に、又は吸収性物品に付随する印刷物に提供され得る。更に、可視状態の変化シグナル、しるしと、充満度、収容力、及び／又は漏れリスクとの間の相関関係は、種々の広告媒体を介して伝えられることができる。
【００６８】
図４は、平面に展開された吸収性物品４００の後側４０５の一部分の外側平面図を示している。種々の実施形態において、吸収性物品４００は、パンツ型使い捨て着用可能吸収性物品又は前側締結可能な使い捨て着用可能吸収性物品などの使い捨て着用可能吸収性物品であることができる。図４では、この一部分は吸収性物品４００の他の部分から切り離して図示されているので、前側４０５のこの一部分は、吸収性物品４００の後側腰部縁部４０４によって、及び折れ線よって囲まれている。図４はまた、吸収性物品４００の前側４０１の前側腰部縁部４０２を含む一部分を示している。参照用に図４は、吸収性物品４００の長手方向外側４１４及び長手方向内側４１５の相対方向を示す矢印を図示している。
【００６９】
吸収性物品４００の後側４０５の一部分は、湿潤度インジケータ４３５を含む。湿潤度インジケータ４３５は可視充満度インジケータである。しかしながら、種々の実施形態において、湿潤度インジケータ４３５は、当業者には理解されるように、別の形態の可視湿潤度インジケータとして構成されることができる。
【００７０】
可視充満度インジケータ４３５は、吸収性物品４００の中心からオフセットされて配置される。可視充満度インジケータ４３５は、１つの可視充満度表示エリアを含む。可視充満度インジケータ４３５は、長手方向内側末端部４３２と長手方向外側末端部４３３とを含む。可視充満度インジケータ４３５は、可視充満度インジケータ４３５に沿って内側末端部４３２から外側末端部４３３まで測定される全インジケータ長を有する。可視充満度インジケータ４３５は、実質的に細長い全体的形状を有し、かつ全インジケータ長全体に沿って実質的に均一な幅を有する。
【００７１】
可視充満度インジケータ４３５は、液状排泄物の存在を示すときに、１つ以上の初期可視状態から１つ以上の後続可視状態へと変化するように構成される。吸収性物品４００は、吸収性物品４００が着用者により着用されると、可視充満度インジケータ４３５の一部分、若しくは複数の部分、又は全てが、吸収性物品４００の外側から見えるように構成され得る。その結果、後続可視状態の少なくとも一部は、吸収性物品４００の外側から見える。
【００７２】
可視充満度インジケータ４３５は、可視充満度インジケータ４３５がその長さに沿って初期可視状態から後続可視状態へと漸次変化するように、可視充満度インジケータ４３５に沿って内側末端部４３２から外側末端部４３３へと継続的に移動する濡れ縁部によって、液状排泄物の存在を表すことができる。
【００７３】
一方の性に特化したしるしは、吸収性物品４００の充満度に関する確実性を、特定の性別の着用者に提供するのを助けることができる。吸収性物品４００の後側４０５の一部分はまた、一方の性に特化したしるしＭ１、Ｍ２、Ｍ３、Ｆ１、Ｆ２、及びＦ３を含む。しるしＭ１、Ｍ２、及びＭ３のそれぞれは、男性性を視覚的に表わすように構成された男性用のしるしである。しるしＦ１、Ｆ２、及びＦ３のそれぞれは、女性性を視覚的に表わすように構成された女性用のしるしである。図４の実施形態の男性用のしるし及び女性用のしるしは、以下に説明される場合を除いて、図３の実施形態の男性用のしるし及び女性用のしるしと同じように構成される。
【００７４】
図３は可視充満度インジケータを吸収性物品の前側３０１の一部分内に図示しているのに対して、図４は可視充満度インジケータを吸収性物品の後側４０５の一部分内に図示している点で、図４の実施形態は図３の実施形態と異なっている。図４の実施形態の一方の性に特化したしるしもやはり、着用者の性別を明らかにするために吸収性物品４００内に位置付けられることができる。男性用のしるしＭ１、Ｍ２、及びＭ３はやはり、男性のピーポイントの前側位置を明らかにするために吸収性物品４００内に配置されることができ、女性用のしるしＦ１、Ｆ２、及びＦ３はやはり、女性のピーポイントの中央位置を明らかにするために吸収性物品４００内に配置されることができる。一方の性に特化したしるしは、やはり、吸収性物品の前縁部４０２に対して同じ相対的配置を有する。しかしながら、後側４０５における男性用のしるし及び女性用のしるしの相対的配置は、前側と異なっている。この前側／後側の違いによってもたらされるのは、以下に記載されるように、前側においては男性用のしるしは女性用のしるしに対して比較的外側に配置され、後側においては男性用のしるしは女性用のしるしに対して比較的内側に配置されるということである。
【００７５】
男性用のしるし及び女性用のしるしに関するこの相対的配置の違いは、多くの異なる様式で理解することができる。グループとしての男性用のしるしは、前縁部４０２から長手方向距離４４５の位置に配置される。グループとしての女性用のしるしは、前縁部４０２から長手方向距離４５５の位置に配置される。長手方向距離４５５は長手方向距離４４５よりも長い。即ち、グループとしての男性用のしるしは、グループとしての女性用のしるしよりも前縁部４０２に近い。吸収性物品４００の後側４０５において、このことは、グループとしての男性用のしるしを、グループとしての女性用のしるしよりも更に長手方向外側に置く。同様に、グループとしての男性用のしるしは、グループとしての女性用のしるしよりも、吸収性物品４００の後縁部４０４から遠くに配置される。吸収性物品４００の後側４０５において、グループとしての男性用のしるしは、グループとしての女性用のしるしよりも可視充満度インジケータ４３５の内側末端部４３２の近くに配置される。同様に、吸収性物品４００の後側４０５において、グループとしての男性用のしるしは、グループとしての女性用のしるしよりも、可視充満度インジケータ４３５の外側末端部４３３から遠くに配置される。グループとしての男性用のしるし及びグループとしての女性用のしるしに関するこれらの相対的配置のいずれかを、本開示の実施形態の全てに適用することができる。
【００７６】
最も近い内側の男性用のしるしＭ１は、前縁部４０２から長手方向距離４４１の位置に配置される。最も近い内側の女性用のしるしＦ１は、前縁部４０２から長手方向距離４５１の位置に配置される。長手方向距離４５１は長手方向距離４４１よりも長い。即ち、最も近い内側の男性用のしるしＭ１は、最も近い内側の女性用のしるしＦ１よりも前縁部４０２に近い。吸収性物品４００の後側４０５において、このことは、最も近い内側の男性用のしるしＭ１を、最も近い内側の女性用のしるしＦ１よりも長手方向内側の近くに置く。同様に、最も近い内側の男性用のしるしＭ１は、最も近い内側の女性用のしるしＦ１よりも、吸収性物品４００の後縁部４０４から遠くに配置される。吸収性物品４００の後側４０５において、最も近い内側の男性用のしるしＭ１は、最も近い内側の女性用のしるしＦ１よりも、可視充満度インジケータ４３５の内側末端部４３２の近くに配置される。同様に、吸収性物品４００の後側４０５において、最も近い内側の男性用のしるしＭ１は、最も近い内側の女性用のしるしＦ１よりも、可視充満度インジケータ４３５の外側末端部４３３から遠くに配置される。最も近い内側の男性用のしるし及び最も近い内側の女性用のしるしに関するこれらの相対的配置のいずれかを、本開示の実施形態の全てに適用することができる。
【００７７】
Ｍ１及びＦ１に関する相対的配置は、Ｍ２及びＦ２、並びにＭ３及びＦ３に関しても同様に考えられ得る。男性用のしるしＭ２は、女性用のしるしＦ２よりも、前縁部４０２及び内側末端部４３２に近い。男性用のしるしＭ２はまた、女性用のしるしＦ２よりも、後縁部４０４及び外側末端部４３３から遠い。男性用のしるしＭ３は、女性用のしるしＦ３よりも、前縁部４０２及び内側末端部４３２に近い。男性用のしるしＭ３はまた、女性用のしるしＦ３よりも、後縁部４０４及び外側末端部４３３から遠い。男性用のしるし、及び対応する女性用のしるしに関するこれらの相対的配置のいずれかを、本開示の実施形態の全てに適用することができる。
【００７８】
図４の実施形態では、男性用のしるしＭ１、Ｍ２、及びＭ３、並びに女性用のしるしＦ１、Ｆ２、及びＦ３は、男性人体と女性人体との違いを明らかにするために、上記のように吸収性物品４００内で相対的に配置されている。男性用のしるし及び女性用のしるしと同様に可視充満度インジケータ４３５は、一方の性に特化した湿潤度表示を提供するものとして容易に理解され得る。
【００７９】
一方の性に特化した湿潤度表示を有する吸収性物品は、吸収性物品の充満度に関する確実性を特定の性別の着用者に対して提供するのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【００８０】
更に、本開示は、使い捨て着用可能吸収性物品などの吸収性物品が、本明細書に記載のように構成され、更に以下に記載のような様々な追加及び／又は代替構造及び／又は機能を有して構成される１つ以上の可視充満度インジケータを有することができることを想到する。
【００８１】
本開示の１つ以上の実施形態は、参照によりそれぞれが本明細書に組み込まれる、代理人整理番号１１２１７Ｑにより識別される米国特許本出願第１２／３４６，４４５号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００８年１２月３０日出願）、及び／又は代理人整理番号１１２１７ＲＱにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００９年１２月２３日出願）の１つ以上の実施形態と組み合わせられることができる。一方の性に特化したしるしを有する使い捨て着用可能吸収性物品は、複数の表示色を有することも可能である。
【００８２】
本開示の１つ以上の実施形態は、参照によりそれぞれが本明細書に組み込まれる、代理人整理番号１１２１８Ｑにより識別される米国特許本出願第１２／３４６，４８１号、名称「Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｗｉｄｔｈｓ」（２００８年１２月３０日出願）、及び／又は代理人整理番号１１２１８ＲＱにより識別される米国特許本出願、名称「Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｗｉｄｔｈｓ」（２００９年１２月２３日出願）の１つ以上の実施形態と組み合わせられることができる。一方の性に特化したしるしを有する使い捨て着用可能吸収性物品は、複数の表示幅を有することも可能である。
【００８３】
本開示の１つ以上の実施形態は、参照によりそれぞれが本明細書に組み込まれる、代理人整理番号１１２２０により識別される米国特許本出願第１２／３４６，５１０号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００８年１２月３０日出願）、及び／又は代理人整理番号１１２２０Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００９年１２月２３日出願）の１つ以上の実施形態と組み合わせられることができる。一方の性に特化したしるしを有する使い捨て着用可能吸収性物品は、一方の性に特化した表示を有することも可能である。
【００８４】
１つ以上の本開示の実施形態は、参照によりそれぞれが本明細書に組み込まれる、代理人整理番号１１２２１Ｑにより識別される米国特許本出願第１２／３４６，５２０号、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００８年１２月３０日出願）、及び／又は代理人整理番号１１２２１ＲＱにより識別される米国特許本出願、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００９年１２月２３日出願）の１つ以上の実施形態と組み合わせられることができる。一方の性に特化したしるしを有する使い捨て着用可能吸収性物品は、表示のパターンを有することも可能である。
【００８５】
本開示の１つ以上の実施形態は、参照によりそれぞれが本明細書に組み込まれる、代理人整理番号１１２２２ＰＱにより識別される米国特許仮出願第６１／１４１，５７３号、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００８年１２月３０日出願）、及び／又は代理人整理番号１１２２２ＭＱにより識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００９年１２月２３日出願）の１つ以上の実施形態と組み合わせられることができる。一方の性に特化したしるしを有する使い捨て着用可能吸収性物品は、一次及び二次表示を有することも可能である。
【００８６】
本開示の１つ以上の実施形態は、参照によりそれぞれが本明細書に組み込まれる、代理人整理番号１１２２２Ｍ２Ｑにより識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃｉａ」（２００９年１２月２３日出願）の１つ以上の実施形態と組み合わせられることができる。一方の性に特化したしるしを有する使い捨て着用可能吸収性物品は、一次及び二次のしるしを有することも可能である。
【００８７】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００８８】
相互参照される又は関連するあらゆる特許又は出願を含め、本明細書において引用される全ての文献は、明示的に除外ないしは制限されない限り、参照によりその全体が本明細書に組み込まれる。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【００８９】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
2012513841.tif 000003
【図１Ｂ】
2012513841.tif 000004
【図１Ｃ】
2012513841.tif 000005
【図２Ａ】
2012513841.tif 000006
【図２Ｂ】
2012513841.tif 000007
【図２Ｃ】
2012513841.tif 000008
【図３】
2012513841.tif 000009
【図４】
2012513841.tif 000010
【国際調査報告】
2012513841.tif 000011
2012513841.tif 000012